(57)【要約】  本発明の画像処理装置５０は、眼底断層画像におけるスペックルパタンを強調処理する強調処理手段５１と、スペックルパタンを強調処理した眼底断層画像における所望の領域を関心領域として設定する関心領域設定手段５２と、関心領域内におけるスペックルパタンの特徴量を抽出する特徴量抽出手段５３と、特徴量に基づいて眼底の疾患判定を行う疾患判定手段５４とを備える。また、本発明の画像処理方法は、眼底断層画像におけるスペックルパタンを強調処理するステップＳ３と、スペックルパタンを強調処理した眼底断層画像における所望の領域を関心領域として設定するステップＳ４と、関心領域内におけるスペックルパタンの特徴量を抽出するステップＳ５と、特徴量に基づいて眼底の疾患判定を行うステップＳ６とを備える。
2015167005.tif 000002
【特許請求の範囲】
【請求項１】
眼底断層画像におけるスペックルパタンを強調処理する強調処理手段と、
スペックルパタンを強調処理した前記眼底断層画像における所望の領域を関心領域として設定する関心領域設定手段と、
前記関心領域内における前記スペックルパタンの特徴量を抽出する特徴量抽出手段と、
前記特徴量に基づいて眼底の疾患判定を行う疾患判定手段とを備える画像処理装置。
【請求項２】
前記関心領域を前記眼底断層画像に表示された網膜層構造のうちの一の網膜層内に設定することを特徴とする、請求項１に記載の画像処理装置。
【請求項３】
前記疾患判定手段によって疾患があると判定された眼底の箇所を眼底断層画像にマッピングするマッピング手段を更に備える、請求項１又は２に記載の画像処理装置。
【請求項４】
前記強調処理手段が、複数の撮像された眼底断層画像から類似するスペックルパタンを有する眼底断層画像を複数選択し、前記選択された複数の類似するスペックルパタンを有する眼底断層画像を加算平均処理することを特徴とする、請求項１〜３のいずれか１項に記載の画像処理装置。
【請求項５】
前記特徴量抽出手段が、前記スペックルパタンの輝度に基づいてヒストグラムを作成することを特徴とする、請求項１〜４のいずれか１項に記載の画像処理装置。
【請求項６】
前記疾患判定手段が、前記スペックルパタンの特徴量をあらかじめ取得しておいた基準特徴量と比較することを特徴とする、請求項１〜５のいずれか１項に記載の画像処理装置。
【請求項７】
前記疾患判定手段が、前記スペックルパタンの特徴量を数式化し、当該数式中のパラメータが所定のしきい値を超えるかどうかによって疾患判定を行うことを特徴とする、請求項１〜５のいずれか１項に記載の画像処理装置。
【請求項８】
眼底断層画像におけるスペックルパタンを強調処理するステップと、
スペックルパタンを強調処理した前記眼底断層画像における所望の領域を関心領域として設定するステップと、
前記関心領域内における前記スペックルパタンの特徴量を抽出するステップと、
前記特徴量に基づいて眼底の疾患判定を行うステップとを備える画像処理方法。
【請求項９】
前記関心領域を前記眼底断層画像に表示された網膜層構造のうちの一の網膜層内に設定することを特徴とする、請求項８に記載の画像処理方法。
【請求項１０】
前記疾患判定を行うステップにおいて疾患があると判定された眼底の箇所を眼底断層画像にマッピングするステップを更に備える、請求項８又は９に記載の画像処理方法。
【請求項１１】
前記スペックルパタンを強調処理するステップが、複数の撮像された眼底断層画像から類似するスペックルパタンを有する眼底断層画像を複数選択し、前記選択された複数の類似するスペックルパタンを有する眼底断層画像を加算平均処理することを含む、請求項８〜１０のいずれか１項に記載の画像処理方法。
【請求項１２】
前記特徴量を抽出するステップが、前記スペックルパタンの輝度に基づいてヒストグラムを作成することを含む、請求項８〜１１のいずれか１項に記載の画像処理方法。
【請求項１３】
前記疾患判定を行うステップが、前記スペックルパタンの特徴量をあらかじめ取得しておいた基準特徴量と比較することを含む、請求項８〜１２のいずれか１項に記載の画像処理方法。
【請求項１４】
前記疾患判定を行うステップが、前記スペックルパタンの特徴量を数式化し、当該数式中のパラメータが所定のしきい値を超えるかどうかによって疾患判定を行うことを含む、請求項８〜１２のいずれか１項に記載の画像処理方法。
【請求項１５】
請求項８〜１４に記載の画像処理方法をコンピュータに実行させることを特徴とする画像処理プログラム。
【発明の詳細な説明】
【技術分野】
【０００１】
本発明は、断層像撮影装置などで撮影した断層画像を処理して診断用画像に適した画像を生成するための画像処理装置、画像処理方法及び画像処理プログラムに関する。
【背景技術】
【０００２】
眼科診断装置の一つとして、眼底の断層像を撮影するＯＣＴ(Ｏｐｔｉｃａｌ  Ｃｏｈｅｒｅｎｃｅ  Ｔｏｍｏｇｒａｐｈｙ)という光干渉を利用した断層像撮影装置が実用化されている。【０００３】
このＯＣＴにより得られた眼底画像の画質を向上させるために、複数の画像を加算平均する技術がある。複数の画像を加算平均する画像処理を行うと、スペックルパタンが消失する。スペックルパタンとは、測定対象における散乱体からの散乱光の無数の重畳によって散乱光強度の高い部分と低い部分とが生じる現象に基づく画像パタンである。いわゆる干渉現象に近い物理現象であり、そのスペックルパタン自体は測定対象である眼底の構造を直接に反映するものではない。そのため、特許文献１ではスペックルパタンをノイズとみなし、断層画像を合成することによってスペックルパタンを消失させ、断層画像の高画質化を図る技術が開示されている。【０００４】
一方、超音波によるエコー信号に基づき、被検体内の超音波画像を得る超音波診断装置に関し、超音波画像に現れるスペックルパタンを積極的に活用し、その統計的性質を利用してスペックル部の画像の平滑化を行うと共に微小構造物を抽出することで病変を観察することが可能な解析アルゴリズムを具備した超音波診断装置が特許文献２に開示されている。この文献では正常な肝臓から反射されるエコー信号の輝度値の確率密度分布がレイリー分布に従うことを利用して、実測により得られた確率密度分布が理論値としてのレイリー分布に従うか否かを、分散値を比較することで判定する技術が開示されている。【０００５】
そして非特許文献１に示した文献によると、ＯＣＴのスペックルパタンがガンマ分布に従って定量化されることが開示されている。
【先行技術文献】
【特許文献】
【０００６】
【特許文献１】特開２０１３−１８３９０９
【特許文献２】特開２０１１−２２４４１０
【非特許文献】
【０００７】
【非特許文献１】Texture analysis of OCT speckle for characterizing biological tissues in vivo, Optics Letters, 38(8), 2013.
【発明の概要】
【発明が解決しようとする課題】
【０００８】
上述のように、スペックルパタン自体は測定対象である眼底の構造を直接に反映するものではないものの、眼底の状態に応じてその生じ方に変化が認められるものではあるため、スペックルパタンを単にノイズとみなすのではなく、その統計的性質を積極的に活用することによって眼底の断層画像からより詳細な眼底の状態に関する情報を得られることに発明者は着目した。【０００９】
特に、非特許文献１に記載されているように、スペックルパタンがガンマ分布に従うことを利用することによって画像毎にスペックルパタンの特徴量を定量化することが可能であるから、このスペックルパタンの特徴量を定量化したデータに基づいてより詳細な眼底の状態に関する情報を得て、眼底の疾患判定も可能となるはずである。【００１０】
そこで、本発明は、従来のように単にＯＣＴ眼底断層画像の画質を向上させることによって眼底断層画像の視認性を向上するという発想ではなく、スペックルパタンを積極的に利用することによって眼底断層画像からより詳細な眼底組織の状態に関する情報を得て、眼底の疾患判定をすることができる画像処理装置、画像処理方法及び画像処理プログラムを提供することを目的とする。
【課題を解決するための手段】
【００１１】
上記目的を達成するために、第一に、本発明は、眼底断層画像におけるスペックルパタンを強調処理する強調処理手段と、スペックルパタンを強調処理した前記眼底断層画像における所望の領域を関心領域として設定する関心領域設定手段と、前記関心領域内における前記スペックルパタンの特徴量を抽出する特徴量抽出手段と、前記特徴量に基づいて眼底の疾患判定を行う疾患判定手段とを備える画像処理装置を提供する（発明１）。【００１２】
上記発明（発明１）によれば、眼底断層画像におけるスペックルパタンを積極的に利用して、関心領域別に眼底の疾患判定を行うことにより、従来のＯＣＴ眼底断層画像からは把握し切れなかった詳細な眼底組織の状態に関する情報を得ることができる。なお、本発明における疾患判定とは、単に眼底の疾患の有無を判定することだけでなく、その疾患の病名を判定することや、疾患の進行度合いを判定すること、疾患疑いの程度を判定すること等、眼底の疾患に関するあらゆる判定を含む概念である。【００１３】
上記発明（発明１）においては、前記関心領域を前記眼底断層画像に表示された網膜層構造のうちの一の網膜層内に設定することが好ましい（発明２）。【００１４】
上記発明（発明２）によれば、複数の網膜層をまたがないよう一の網膜層内に関心領域を設定することにより、網膜層構造中の領域別にスペックルパタンの特徴量解析を個別に実行することができるため、評価精度が向上して、より詳細な眼底組織の状態に関する情報を得ることができる。【００１５】
上記発明（発明１及び２）においては、前記疾患判定手段によって疾患があると判定された眼底の箇所を眼底断層画像にマッピングするマッピング手段を更に備えることが好ましい（発明３）。【００１６】
上記発明（発明３）によれば、眼底断層画像に疾患部位がマッピングされることにより、疾患判定の結果を容易に把握することができる。【００１７】
上記発明（発明１〜３）においては、前記強調処理手段が、複数の撮像された眼底断層画像から類似するスペックルパタンを有する眼底断層画像を複数選択し、前記選択された複数の類似するスペックルパタンを有する眼底断層画像を加算平均処理することが好ましい（発明４）。【００１８】
上記発明（発明１〜４）においては、前記特徴量抽出手段が、前記スペックルパタンの輝度に基づいてヒストグラムを作成することが好ましい（発明５）。【００１９】
上記発明（発明１〜５）においては、前記疾患判定手段が、前記スペックルパタンの特徴量をあらかじめ取得しておいた基準特徴量と比較してもよいし（発明６）、前記スペックルパタンの特徴量を数式化し、当該数式中のパラメータが所定のしきい値を超えるかどうかによって疾患判定を行ってもよい（発明７）。【００２０】
第二に、本発明は、眼底断層画像におけるスペックルパタンを強調処理するステップと、スペックルパタンを強調処理した前記眼底断層画像における所望の領域を関心領域として設定するステップと、前記関心領域内における前記スペックルパタンの特徴量を抽出するステップと、前記特徴量に基づいて眼底の疾患判定を行うステップとを備える画像処理方法を提供する（発明８）。【００２１】
上記発明（発明８）によれば、眼底断層画像におけるスペックルパタンを積極的に利用して、関心領域別に眼底の疾患判定を行うことにより、従来のＯＣＴ眼底断層画像からは把握し切れなかった詳細な眼底組織の状態に関する情報を得ることができる。【００２２】
上記発明（発明８）においては、前記関心領域を前記眼底断層画像に表示された網膜層構造のうちの一の網膜層内に設定することが好ましい（発明９）。【００２３】
上記発明（発明９）によれば、複数の網膜層をまたがないよう一の網膜層内に関心領域を設定することにより、網膜層構造中の領域別にスペックルパタンの特徴量解析を個別に実行することができるため、評価精度が向上して、より詳細な眼底組織の状態に関する情報を得ることができる。【００２４】
上記発明（発明８及び９）においては、前記疾患判定を行うステップにおいて疾患があると判定された眼底の箇所を眼底断層画像にマッピングするステップを更に備えることが好ましい（発明１０）。【００２５】
上記発明（発明１０）によれば、眼底断層画像に疾患部位がマッピングされることにより、疾患判定の結果を容易に把握することができる。【００２６】
上記発明（発明８〜１０）においては、前記スペックルパタンを強調処理するステップが、複数の撮像された眼底断層画像から類似するスペックルパタンを有する眼底断層画像を複数選択し、前記選択された複数の類似するスペックルパタンを有する眼底断層画像を加算平均処理するものであることが好ましい（発明１１）。【００２７】
上記発明（発明８〜１１）においては、前記特徴量を抽出するステップが、前記スペックルパタンの輝度に基づいてヒストグラムを作成するものであることが好ましい（発明１２）。【００２８】
上記発明（発明８〜１２）においては、前記疾患判定を行うステップが、前記スペックルパタンの特徴量をあらかじめ取得しておいた基準特徴量と比較するものであってもよいし（発明１３）、前記スペックルパタンの特徴量を数式化し、当該数式中のパラメータが所定のしきい値を超えるかどうかによって疾患判定を行うものであってもよい（発明１４）。【００２９】
第三に、本発明は、請求項８〜１４に記載の画像処理方法をコンピュータに実行させることを特徴とする画像処理プログラムを提供する（発明１５）。【００３０】
上記発明（発明１５）によれば、眼底断層画像におけるスペックルパタンを積極的に利用して、関心領域別に眼底の疾患判定を行うことにより、従来のＯＣＴ眼底断層画像からは把握し切れなかった詳細な眼底組織の状態に関する情報を得ることができる。
【発明の効果】
【００３１】
本発明の画像処理装置、画像処理方法及び画像処理プログラムによれば、スペックルパタンを積極的に利用することによって眼底断層画像からより詳細な眼底組織の状態に関する情報を得て、眼底の疾患判定をすることができる。
【図面の簡単な説明】
【００３２】
【図１】本発明の一実施形態に係る画像処理システムを示す構成図である。
【図２】同実施形態に係る断層像撮影ユニットの詳細な構成を示す光学図である。
【図３】同実施形態に係る画像処理の流れを示したフローチャートである。
【図４】同実施形態において眼底を信号光で走査する状態を示した説明図である。
【図５】同実施形態において複数枚の断層画像を取得する状態を示した説明図である。
【図６】同実施形態において作成された加算平均画像を示した説明図である。
【図７】同実施形態における関心領域の設定例を示した説明図である。
【図８】同実施形態において作成されたヒストグラムである。
【発明を実施するための形態】
【００３３】
以下、本発明の実施形態を図面に基づいて詳細に説明する。
【００３４】
図１は、本発明の一実施形態に係る画像処理システム、すなわち被検眼眼底の断層画像を取得して画像処理するシステムの全体を示す構成図である。符号１で示すものは、被検眼Ｅの眼底（網膜）Ｅｆを観察及び撮像する眼底撮影ユニット１であり、照明光学系４、撮影光学系５、２次元ＣＣＤやＣＭＯＳで構成された撮像装置１００を備えている。
【００３５】
照明光学系４は、ハロゲンランプ等の観察光源とキセノンランプ等の撮影光源を備え、これらの光源からの光は照明光学系４を介して眼底Ｅｆに導かれて眼底Ｅｆを照明する。撮影光学系５は、対物レンズ、撮影レンズ、合焦レンズなどの光学系を備え、眼底Ｅｆにより反射された撮影光を撮影光路に沿って撮像装置１００に導き、眼底Ｅｆの画像を撮影する。
【００３６】
走査ユニット６は、後述する眼底Ｅｆにより反射された信号光を、断層像撮影ユニット２に導く。走査ユニット６は、断層像撮影ユニット２の低コヒーレンス光源２０からの光を図１のｘ方向（水平方向）及びｙ方向（垂直方向）に走査するための公知のガルバノミラー１１やフォーカス光学系１２などを備えた機構である。
【００３７】
走査ユニット６は、コネクタ７及び接続線８を介して眼底Ｅｆの断層像を撮像する断層像撮影ユニット２と光学的に接続されている。
【００３８】
断層像撮影ユニット２は、例えばフーリエドメイン方式（スペクトラルドメイン法）で動作する公知のもので、図２にその詳細な構成が図示されており、波長が７００ｎｍ〜１１００ｎｍで数μｍ〜数十μｍ程度の時間的コヒーレンス長の光を発光する低コヒーレンス光源２０を有する。
【００３９】
低コヒーレンス光源２０で発生した低コヒーレンス光ＬＯは、光ファイバ２２ａにより光カプラ２２に導かれ、参照光ＬＲと信号光ＬＳに分割される。参照光ＬＲは、光ファイバ２２ｂ、コリメータレンズ２３、ガラスブロック２４、濃度フィルタ２５を経て光路長を合わせるための光軸方向に移動可能な参照ミラー２６に到達する。ガラスブロック２４、濃度フィルタ２５は、参照光ＬＲと信号光ＬＳの光路長（光学距離）を合わせるための遅延手段として、また参照光ＬＲと信号光ＬＳの分散特性を合わせるための手段として機能する。
【００４０】
信号光ＬＳは、接続線８に挿通された光ファイバ２２ｃにより図１の走査ユニット６を経由して眼底Ｅｆに到達し、眼底を水平方向（ｘ方向）並びに垂直方向（ｙ方向）に走査する。眼底Ｅｆに到達した信号光ＬＳは、眼底Ｅｆで反射し、上記の経路を逆にたどって光カプラ２２に戻ってくる。
【００４１】
参照ミラー２６で反射した参照光ＬＲと眼底Ｅｆで反射した信号光ＬＳは、光カプラ２２により重畳され干渉光ＬＣとなる。干渉光ＬＣは、光ファイバ２２ｄによりＯＣＴ信号検出装置２１に導かれる。干渉光ＬＣは、ＯＣＴ信号検出装置２１内でコリメータレンズ２１ａによって平行な光束とされたのち、回折格子２１ｂに入射し分光され、結像レンズ２１ｃによりＣＣＤ２１ｄに結像される。ＯＣＴ信号検出装置２１は、分光された干渉光により眼底の深度方向（ｚ方向）の情報を示すＯＣＴ信号を発生する。
【００４２】
本実施形態に係る画像処理システムには、例えば、断層像撮影ユニット２と接続されたパーソナルコンピュータ等によって構成される画像処理装置３が設けられる。画像処理装置３には、ＣＰＵ、ＲＡＭ、ＲＯＭなどで構成された制御部３０が設けられ、制御部３０は画像処理プログラムを実行することにより、全体の画像処理を制御する。
【００４３】
表示部３１は、例えば、ＬＣＤなどのディスプレイ装置によって構成され、画像処理装置３で生成あるいは処理された断層画像や正面画像などの画像を表示したり、被検者に関する情報などの付随情報などを表示したりする。
【００４４】
入力部３２は、例えば、マウス、キーボード、入力ペンなどの入力手段で、表示部３１に表示された画像に対して入力操作を行う。また、操作者は入力部３２により画像処理装置３などに指示を与えることができる。
【００４５】
画像処理装置３には断層画像形成部４１が設けられる。断層画像形成部４１は、フーリエドメイン法（スペクトラルドメイン法）などの公知の解析方法を実行する専用の電子回路、または、前述のＣＰＵが実行する画像処理プログラムにより実現され、ＯＣＴ信号検出装置２１が検出したＯＣＴ信号に基づいて、眼底Ｅｆの断層画像を形成する。断層画像形成部４１で形成された断層画像は、例えば半導体メモリ、ハードディスク装置等により構成された記憶部４２に格納される。記憶部４２は、さらに上述した画像処理プログラムなども格納する。
【００４６】
また、画像処理装置３には画像処理部５０が設けられ、画像処理部５０は強調処理手段５１、関心領域設定手段５２、特徴量抽出手段５３、疾患判定手段５４、マッピング手段５５を有する。
【００４７】
強調処理手段５１は、断層画像形成部４１で形成された断層画像におけるスペックルパタンを強調処理する。断層画像形成部４１で形成された断層画像には単なるノイズとスペックルとが混在しており、ノイズとスペックルとは断層画像上で区別することが困難である。スペックルパタンを積極的に利用することによって眼底断層画像からより詳細な眼底組織の状態に関する情報を得るために、本実施形態では極力ノイズを除去することによってスペックルパタンを強調する処理を行う。
【００４８】
関心領域設定手段５２は、強調処理手段５１によってスペックルパタンが強調処理された断層画像における所望の領域を関心領域として設定する。関心領域は、検者がより詳細な眼底の状態に関する情報を得たいと考える領域であることが一般的であるが、断層画像に表れている眼底組織内の閉じられた領域であればこれに限られるものではない。眼底組織は層構造であるため、眼底の断層画像において関心領域は断層画像に表示された眼底の網膜層構造のうちの一の網膜層内に設定され、複数の網膜層をまたぐように設定はしない。
【００４９】
特徴量抽出手段５３は、関心領域設定手段５２によって設定された関心領域内におけるスペックルパタンの特徴量を抽出する。疾患判定手段５４は、特徴量抽出手段５３によって抽出されたスペックルパタンの特徴量に基づいて眼底の疾患判定を行う。眼底の疾患判定としては、例えば、眼底の疾患の有無を判定すること、その疾患の病名を判定すること、疾患の進行度合いを判定すること、疾患疑いの程度を判定すること等が挙げられる。マッピング手段５５は、疾患判定手段５４によって疾患があると判定された眼底の箇所を眼底断層画像にマッピングする。
【００５０】
次に、本実施形態での画像処理を図３に示すフローチャートを参照しながら説明する。この画像処理は、制御部３０が記憶部４２に格納された画像処理プログラムを読み出して実行することにより行われる。
【００５１】
まず、ステップＳ１において行われる断層像の撮像に先立ち、被検眼Ｅと眼底撮影ユニット１のアライメントを行い、眼底Ｅｆにピントが合わされる。この状態で、低コヒーレンス光源２０をオンにして、断層像撮影ユニット２からの信号光を走査ユニット６でｘ，ｙ方向に掃引し、眼底Ｅｆを走査する。この状態が図４に図示されており、網膜の黄斑部が存在する領域Ｒが、ｘ軸と平行な方向に、それぞれｎ本の走査線ｙ１、ｙ２、・・・、ｙｎで走査される。
【００５２】
眼底Ｅｆで反射された信号光ＬＳは、断層像撮影ユニット２において参照ミラー２６で反射された参照光ＬＲと重畳される。それにより干渉光ＬＣが発生し、ＯＣＴ信号検出装置２１からＯＣＴ信号が発生する。断層画像形成部４１は、このＯＣＴ信号に基づいて眼底Ｅｆの断層画像を形成し（ステップＳ２）、形成された断層画像は記憶部４２に格納される。
【００５３】
図５には、網膜の黄斑部のほぼ中心を通過する走査線ｙｊで得られたｘｚ断層画像（Ｂ−スキャン像）の異なる時間ｔｉ（ｉ＝１〜Ｎ）での断層画像Ｔｉ（ｉ＝１〜Ｎ）が図示されている。ｔｉとｔｉ＋１の時間間隔は次の走査線ｙｉ＋1までに要する時間に相当する。これらの断層画像Ｔｉ（ｉ＝１〜Ｎ）は、断層画像形成部４１で時間ｔｉ（ｉ＝１〜Ｎ）毎に形成され、記憶部４２に順次格納される。
【００５４】
記憶部４２に順次格納された断層画像にはスペックルパタンＳＰがその他のノイズとともに表れている。本実施形態では、断層画像の画質を向上させるためにノイズは極力除去し、スペックルパタンＳＰのみを強調するために複数の断層画像の加算平均処理を行う。
【００５５】
本実施形態では、異なる時間での同一箇所の断層画像Ｔｉ（ｉ＝１〜Ｎ）が１００枚形成され（すなわち、Ｎ＝１００）、記憶部４２に格納される。次に、ステップＳ３において、強調処理手段５１によってスペックルパタンＳＰの強調処理が行われる。具体的には、１００枚の断層画像Ｔｉ（ｉ＝１〜１００）からスペックルパタンＳＰの似ている断層画像を１０枚選び、その１０枚の断層画像を記憶部４２から読み出し、画素ごとに加算平均を行って加算平均画像Ｔａを作成する。選んだ１０枚の断層画像はスペックルパタンＳＰが似ているため、スペックルパタンＳＰは加算平均しても消失しないが、スペックルパタンＳＰ以外のノイズは加算平均することによって消失するため、加算平均画像Ｔａは全体としては画質が向上し、スペックルパタンＳＰが認識しやすくなる。作成された加算平均画像Ｔａは記憶部４２に格納される。図６は作成された加算平均画像Ｔａを示す説明図である。加算平均画像Ｔａにおいて、Ｌ１〜６は網膜層構造における層境界を示している。また、便宜上四つの領域Ｉ１、Ｉ２、Ｓ１、Ｓ２に分けている。
【００５６】
続いてステップＳ４において、関心領域設定手段５２によって加算平均画像Ｔａに対して関心領域ＲＯＩの設定が行われる。具体的には、関心領域ＲＯＩは、図７に示すように、加算平均画像Ｔａに表示された眼底の網膜層構造のうちの一の網膜層内に設定される。複数の網膜層をまたぐようには設定せず、また、網膜層構造中の血管Ｂは避けて設定する。このように関心領域ＲＯＩを設定することにより、網膜層構造中の領域別にスペックルパタンＳＰの特徴量解析を個別に実行することができるため、評価精度が向上して、より詳細な眼底組織の状態に関する情報を得ることができる。
【００５７】
関心領域ＲＯＩを設定すると、ステップＳ５において、特徴量抽出手段５３によってその関心領域ＲＯＩごとにスペックルパタンＳＰの特徴量が抽出される。具体的には、関心領域ＲＯＩにおけるスペックルパタンＳＰの特徴量は次のように抽出される。まず、関心領域ＲＯＩにおいて画素ごとに信号強度を測り、信号強度に応じて２５６階調画像化処理を行って関心領域ＲＯＩにおける画像をデジタル化する。このデジタル化した画像データを元にして、図８に示すように、横軸に輝度、縦軸に画素数をとったヒストグラムを作成する。ここで、ＯＣＴのスペックルパタンはガンマ分布に従って定量化されるという知見を利用し、このヒストグラムに非線形回帰分析を用いて式１に示すガンマ分布関数を当てはめる。
【００５８】
【数１】
2015167005.tif 000003
【００５９】
式１において、αは形状パラメータであり、βは尺度パラメータである。ガンマ分布関数の当てはめは、α、βに初期値を与え、繰り返し演算によって最適値を探索することによって行う。この二つのパラメータを以て当該関心領域ＲＯＩにおけるスペックルパタンＳＰの特徴量を表すことができ、特にα／βの比率によって当該関心領域ＲＯＩにおけるスペックルパタンＳＰの特徴量が代表される。
【００６０】
関心領域ＲＯＩにおけるスペックルパタンＳＰの特徴量が抽出されれば、ステップＳ６において、疾患判定手段５４によってその特徴量に基づいて当該関心領域ＲＯＩにおける疾患の有無が判定される。具体的には、疾患判定を行うために、記憶部４２には前以て様々な眼底組織の状態を示す基準特徴量データを格納しておく。例えば、正常眼やある疾患を有する異常眼の眼底の断層画像に対し、あらかじめ上記ステップＳ３〜Ｓ５の処理を行ってスペックルパタンの特徴量を抽出しておき、眼底の状態と紐付けて当該特徴量を基準特徴量データとして記憶部４２に記憶して、基準特徴量データベースを設けておく。そして、ステップＳ５にて抽出されたスペックルパタンＳＰの特徴量を基準特徴量データベースの特徴量データと照合し、特徴量の差に基づいて合致する又は近似する基準特徴量データをピックアップし、このピックアップされた基準特徴量データから当該関心領域ＲＯＩにおける疾患の有無や疾患の進行度などの眼底組織の状態を判断する。
【００６１】
また、ステップＳ６における疾患判定は次のように行ってもよい。例えば、正常眼やある疾患を有する異常眼の眼底の断層画像を多数用意し、それら断層画像に対してあらかじめ上記ステップＳ３〜Ｓ５の処理を行ってスペックルパタンの特徴量を抽出し、疾患の有無とパラメータα及びβの関係、又は疾患の有無とα／βの比率の関係を集計しておく。さらに、パラメータα及びβや、α／β比率がどのような値を超えると当該関心領域ＲＯＩにおいて疾患があると認められるのか解析を行い、疾患判定に使用するしきい値を定めておく。そして、ステップＳ５にて抽出されたスペックルパタンの特徴量がそのしきい値を超えているかどうかによって当該関心領域ＲＯＩにおける疾患の有無や疾患の進行度などの眼底組織の状態を判断する。
【００６２】
続いてステップＳ７において、マッピング手段５５によって疾患があると判定された眼底の箇所が加算平均画像Ｔａにマッピングされる。眼底断層画像に疾患部位がマッピングされ、例えば表示部３１によって表示されれば、疾患判定の結果を容易に把握することができる。なお、疾患部位の眼底断層画像へのマッピングをカラーで行うことにより、より結果の把握は容易になる。
【００６３】
上記のように画像処理を行うと、スペックルパタンを積極的に利用することによって眼底断層画像からより詳細な眼底組織の状態に関する情報を得ることができるとともに、眼底の疾患判定をすることができる。
【００６４】
以上、本発明に係る画像処理システムについて図面に基づいて説明してきたが、本発明は上記実施形態に限定されることはなく、種々の変更実施が可能である。
【符号の説明】
【００６５】
１  眼底撮影ユニット
２  断層像撮影ユニット
３  画像処理装置
４  照明光学系
５  撮影光学系
６  走査ユニット
２０  低コヒーレンス光源
２１  ＯＣＴ信号検出装置
３０  制御部
３１  表示部
３２  入力部
４１  断層画像形成部
４２  記憶部
５０  画像処理部
５１  強調処理手段
５２  関心領域設定手段
５３  特徴量抽出手段
５４  疾患判定手段
５５  マッピング手段
１００  撮像装置
【図１】
2015167005.tif 000004
【図２】
2015167005.tif 000005
【図３】
2015167005.tif 000006
【図４】
2015167005.tif 000007
【図５】
2015167005.tif 000008
【図６】
2015167005.tif 000009
【図７】
2015167005.tif 000010
【図８】
2015167005.tif 000011
【国際調査報告】
2015167005.tif 000012
2015167005.tif 000013
2015167005.tif 000014
2015167005.tif 000015